(57)【要約】【課題】登録されたユーザ毎に、各々の設定情報を書き換え設定したり、省電力モードを解除させることのできる画像処理装置を提供する。【解決手段】ユーザが携帯するＩＣタグとの間で所定の通信手順で情報を送受する無線ＩＣタグリーダと、この無線ＩＣタグリーダで読み取った情報に基づいて、装置が機能するための設定情報を書き換え設定する信号処理部を備えた画像処理装置であって、ＩＣタグには、ユーザの識別情報を記憶させていることを特徴とする。【選択図】図１
2006080854.tif 000002
【特許請求の範囲】
【請求項１】
ユーザが携帯するＩＣタグとの間で所定の通信手順で情報を送受する無線ＩＣタグリーダと、この無線ＩＣタグリーダで読み取った情報に基づいて、装置が機能するための設定情報を書き換え設定する信号処理部を備えた画像処理装置であって、
上記ＩＣタグには、ユーザの識別情報を記憶させていることを特徴とする画像処理装置。
【請求項２】
請求項１において、
ユーザの識別情報に対応させて、そのユーザにカスタマイズされた設定情報を登録する手段を備えた画像処理装置。
【請求項３】
請求項１，２において、
上記ユーザにカスタマイズされた設定情報は、短縮ダイヤル設定情報、ワンタッチキー設定情報、親展受信の可否情報のいずれかを少なくとも含んでいる画像処理装置。
【請求項４】
請求項１〜３において、
上記信号処理部は、省電力モードの実行時において、上記無線ＩＣタグリーダが、無線ＩＣタグから登録されているユーザの識別情報を読み取ったときには、省電力モードを自動解除する画像処理装置。
【請求項５】
請求項１〜４において、
上記ＩＣタグには、ユーザの識別情報に対応させて、そのユーザにカスタマイズされた設定情報が登録されており、上記ＩＣタグリーダは、上記識別情報と設定情報とを読み取り、これを上記信号処理部に転送する画像処理装置。
【発明の詳細な説明】
【技術分野】
【０００１】
本発明は、ファクシミリ装置などの画像処理装置の改良に関する。
【背景技術】
【０００２】
従来より、ファクシミリ装置などの画像処理装置が広く使用されており、ＩＣタグリーダを内蔵させ、ユーザの所有するＩＤタグの識別情報を認証することにより、装置の使用権限を識別し、装置使用に応じた課金管理をする技術が、下記特許文献１に開示されている。
【特許文献１】特開２００２−１３２７２６号公報
【発明の開示】
【発明が解決しようとする課題】
【０００３】
しかしながら、このような技術は、装置の使用権限を識別し、課金管理をするのみであるため、ＩＣタグリーダとＩＣタグとを用いて、ユーザ毎に、短縮ダイヤル設定情報、ワンタッチ設定情報、親展受信の可否情報などのユーザ単位での設定情報を使用できるようにすれば便利である。
【０００４】
一方、省電力の観点から、装置が未使用の場合には省電力モードになる装置もある。このものは、キー操作やプラテンカバーの開閉、センサによる人体検出があったとき、省電力モードから通常モードに移行するようになっている。この技術は、上記特許文献２に開示されている。しかしながら、このような技術では、近づいてくるユーザの識別をしない。
【０００５】
したがって、本発明では、登録されたユーザ毎に、各々の設定情報を書き換え設定したり、省電力モードを解除させることのできる画像処理装置を提供することを目的とする。
【課題を解決するための手段】
【０００６】
上記目的を達成するために提案される請求項１では、ユーザが携帯するＩＣタグとの間で所定の通信手順で情報を送受する無線ＩＣタグリーダと、この無線ＩＣタグリーダで読み取った情報に基づいて、装置が機能するための設定情報を書き換え設定する信号処理部を備えた画像処理装置であって、ＩＣタグには、ユーザの識別情報を記憶させていることを特徴とする。
【０００７】
請求項２では、ユーザの識別情報に対応させて、そのユーザにカスタマイズされた設定情報を登録する手段を備えた画像処理装置。
【０００８】
請求項３では、ユーザにカスタマイズされた設定情報は、短縮ダイヤル設定情報、ワンタッチキー設定情報、親展受信の可否情報のいずれかを少なくとも含んでいる。
【０００９】
請求項４では、信号処理部は、省電力モードの実行時において、上記無線ＩＣタグリーダが、無線ＩＣタグから登録されているユーザの識別情報を読み取ったときには、省電力モードを自動解除する。
【００１０】
請求項５では、ＩＣタグには、ユーザの識別情報に対応させて、そのユーザにカスタマイズされた設定情報が登録されており、ＩＣタグリーダは、識別情報と設定情報とを読み取り、これを信号処理部に転送する。
【００１１】
ここに、設定情報はユーザごとにＩＣタグに登録されている。請求項１〜３では設定情報は装置に登録される。ここでは、ＩＣタグの識別情報、設定情報を読み取り信号処理部に転送する。信号処理部ではこれらを受け、ユーザ毎の設定情報を書き換え設定する。
【発明の効果】
【００１２】
本発明によれば、請求項１では、ＩＣタグにはユーザの識別情報が登録されており、装置のＩＣタグリーダがＩＣタグの識別情報を読み取ったときには、装置が機能するための設定情報を書き換え設定するので、利便にできる。
【００１３】
請求項２では、ユーザの識別情報に対応させて、そのユーザにカスタマイズされた設定情報を登録する手段を備えているので、ＩＣタグにはユーザの識別情報を登録しておくだけで、装置ではユーザ毎の設定情報を書き換え設定でき、利便にできる。
【００１４】
請求項３では、ユーザにカスタマイズされた設定情報は、短縮ダイヤル設定情報、ワンタッチキー設定情報、親展受信の可否情報のいずれかを少なくとも含んでいるので、ユーザ毎に、これらの情報の少なくとも１つを、装置において書き換え設定できる。
【００１５】
請求項４では、信号処理部は、省電力モードの実行時において、無線ＩＣタグリーダが、無線ＩＣタグから登録されているユーザの識別情報を読み取ったときには、省電力モードを自動解除するので、登録されているユーザが使用するときのみ、省電力モードを解除でき、利便にできる。
【００１６】
請求項５では、ＩＣタグには、ユーザの識別情報に対応させて、そのユーザにカスタマイズされた設定情報が登録されており、ＩＣタグリーダは、識別情報と設定情報とを読み取り、これを信号処理部に転送するので、装置には、ユーザ毎の設定情報を登録しておく必要がなく、メモリ容量の削減ができる。
【発明を実施するための最良の形態】
【００１７】
以下に、本発明の実施の形態について説明する。
【実施例１】
【００１８】
図１は、本発明の画像処理装置の基本構成の一例を示すブロック図である。なお、ここでは、画像処理装置の一例として、ファクシミリ装置Ｆの構成を示しているが、この例には限られず、ＩＣタグリーダを備え、ＩＣタグからの無線信号を受信できるものであれば、何を用いてもよい。
【００１９】
このファクシミリ装置Ｆは、信号処理部を構成し、このファクシミリ装置Ｆを制御するＭＰＵ１と、電話回線Ｌの接続制御をするＮＣＵ２と、ファクシミリ通信に必要な各種信号の変復調をするモデム３と、画像データの符号化、復号を行うコーデック４と、セットされた原稿を読み取り、画像データを生成するスキャナ５と、画像データを、予めセットされた記録紙に印字出力するプリンタ６と、操作表示部７と、このファクシミリ装置Ｆが動作するのに必要なプログラムを記憶するＲＯＭ８と、短縮ダイヤルなどを記憶し、後述する個人設定テーブル９Ａと共通設定テーブル９Ｂとを有するＲＡＭ９と、画像データを一時格納する画像メモリ１０と、無線ＩＣタグ１２より出力される識別情報を読み取る無線ＩＣタグリーダ１１とを備える。
【００２０】
そして、個人設定テーブル９Ａは、例えば、図２に示すような構成としている。すなわち、無線ＩＣタグ１２に固有に割り付けられた識別情報（コード）毎に、ユーザ氏名、更には、そのユーザが使用できる設定情報を登録している。ユーザが使用可能な設定情報には、親展受信の可否情報、ワンタッチダイヤル設定、短縮ダイヤル設定のいずれかが少なくとも含まれる。
【００２１】
また、このファクシミリ装置Ｆは、一定時間、ユーザのキー操作や、ＩＣタグ１２の接近がなかったときには、自動的に省電力モードに移行する。この手順については公知であるため説明を省略する。更には、ユーザの各々に対応して親展受信原稿を格納する構成としている。
【００２２】
このような構成における基本的動作を、図３，４のフローチャートとともに説明する。まず、ＩＣタグリーダ１１がＩＣタグ１２の識別情報を読み取り、これがＭＰＵ１に転送されると、ＭＰＵ１では識別情報が個人設定テーブル９Ａに登録されているか判定する。識別情報が一致すると（１００）、省電力モードを実行中であれば解除する（１０１、１０２）。一方、省電力モードを実行中でなければ、次の処理に移行する。
【００２３】
そして、そのユーザ毎に対応するワンタッチ設定や短縮ダイヤル設定を、個人情報テーブル９Ａより判別し、各々書き換え設定する（１０３，１０４）。書き換え設定は、例えば、ＲＡＭ９においてなされる。
【００２４】
そして、ユーザ別の書き換え設定した旨を操作表示部７などにおいて報知する（１０５）。そして、そのユーザに対応して、親展受信原稿があるか判別する（１０６）。親展受信原稿があれば、個人設定テーブル９Ａを参照して、そのユーザに対して、親展受信原稿のプリントがＯＫであるか判別し（１０７）、ＯＫであればそれをプリントする（１１０）。
【００２５】
一方、親展受信原稿のプリントがＯＫでないなら（１０７）、親展受信原稿がある旨を操作表示部７などで報知し（１０８）、これに対してプリント指示があれば（１０９）、親展受信原稿をプリントする（１１０）。一方、プリント指示がなければ、他のジョブの指定に対して待機する。
【００２６】
そして、他のジョブが指定されたら、そのジョブの実行をする（１１１，１１２）。更に、ＩＣタグ１２が取り除かれたときには（１１３）、個人別設定から共通設定に復帰させる。つまり、共通設定テーブル９Ｂを読み取り、これを書き換える（１１４）。そうして、共通設定画面、つまり、共通の短縮ダイヤル設定やワンタッチダイヤル設定を表示する（１１５）。
【産業上の利用可能性】
【００２７】
本発明は、ファクシミリ装置などの画像処理装置に適用できる。
【図面の簡単な説明】
【００２８】
【図１】本発明の基本構成の一例を示す図
【図２】個人設定テーブルの構成の一例を示す図
【図３】本発明の基本動作について説明するためのフローチャート
【図４】本発明の基本動作について説明するためのフローチャート
【符号の説明】
【００２９】
Ｆ  ファクシミリ装置
１  ＭＰＵ
９Ａ  個人設定テーブル
９Ｂ  共通設定テーブル
１１  無線ＩＣタグリーダ
１２  無線ＩＣタグ
【図１】
2006080854.tif 000003
【図２】
2006080854.tif 000004
【図３】
2006080854.tif 000005
【図４】
2006080854.tif 000006